(57)【要約】      （修正有）【課題】生活空間に充満している電磁波を無害化し、電磁波や静電気などの電気のゴミと言われるものを取り除き、電気製品等の電気負荷を軽減し、電気量の低減を図る器具を提供する。【解決手段】電気使用量を低減する器具は、周囲をステンレス網３で囲んだ円筒形の本体１と、本体１の一方の開口部に底部２を設け、底部２を支えるステンレス鋼の架台４と、底部２に載せる水晶さざれ用ステンレス網のざる５とからなり、ステンレス鋼線の円形の枠７と、枠７内のステンレス網と、ステンレス網の中央に銅製の菊花紋９を設け、菊花紋９を中心に囲むように六芒星形状の鋼板１０を配置し、六芒星形状の鋼板１０の周囲に３個又は６個の六芒星形状のセラミックヘッド１１を取り付けた上蓋を設け、ざる５の中に粒径５〜２０ｍｍの無色透明の天然水晶さざれ６を入れる。【選択図】図１
0003232191.tif 000002
【実用新案登録請求の範囲】
【請求項１】
周囲をステンレス網で囲んだ円筒形の本体と、
前記本体の一方の開口部に底部を設け、前記本体の底部を支えるステンレス鋼の架台と、
前記本体内の底部に載せる水晶さざれ用ステンレス網のざると、
電磁波の集積素地となる上蓋とからなり、
前記ざるの中に入れる水晶さざれとして活用粒径を５〜２０ｍｍの無色透明の天然水晶さざれを用いたことを特徴とする電気使用量を低減する器具。
【請求項２】
前記上蓋が、ステンレス鋼線の円形の枠と、前記枠内のステンレス網とからなり、
前記ステンレス網の中央に銅製の菊花紋を設け、
前記菊花紋を中心に囲むように六芒星形状の鋼板を配置し、
前記六芒星形状の鋼板の周囲に３個又は６個の六芒星形状のセラミックヘッドを取り付けたことを特徴とする請求項１記載の電気使用量を低減する器具。
【考案の詳細な説明】
【技術分野】
【０００１】
本考案は、水晶（クリスタル）の蘇生的波動作用を利用して、電磁波を中和し、電化製品等の電気負荷を軽減し、電気使用量を低減するものに関する。特に、水晶の珪素（Si）元素にはすぐれた蘇生的波動作用があることに着目したものである。
【０００２】
即ち、水晶の蘇生化波動の気配を宇宙空間無限大のフリーエネルギー中の同類蘇生化波動エネルギーが同士と捉え仲間意識化で集積しながら降り注ぎ、空気中に存在する建物全体の電磁波を中和するものである。電磁波や静電気は電気のゴミと言われており、それが無くなれば送電線や電化製品等の電気負荷が軽減し、電気使用量が低減されるものである。
【背景技術】
【０００３】
以前から、電気量の低減を図るために、種々の研究を行ってきた。一例として、六芒星セラミックヘッドのみを使用して、電気量の削減ができるかどうかを実際に測定したが、有益な効果が得られなかった。
【０００４】
一方、従来から、水処理において、無色透明の天然水晶さざれを使用して水の浄化をおこなっていた。この水晶の有する浄化作用を蘇生的波動作用として利用する器具を考案した。水晶さざれとして、水晶の粒の大きさが中粒３〜１５ｍｍ、大粒１０〜３０ｍｍを入手し、活用粒径を５〜２０ｍｍに整えてそれを有効活用できる器具を考案した。
【０００５】
また、近年の生活様式では、建物全体が電化機能となりオール電化的であり、建物内も含め空気中全体に電磁波が蔓延している状態が続いている。この電磁波による被ばくは、身体に悪影響を与えることが一般に知られている。
【０００６】
特に、近年急速に普及している電気量の測定において、自動検針のスマートメーター等が多く用いられるようになってきている。この自動検針の構造は、スマートメーターから電柱等に取り付けられているゲートウェイというアンテナの役割を行う装置が受信して、電力会社のサーバーへ送信されることで個々の電気量を測定している。このため、関連して発生する電磁波は強力であり、また、スマートメーターの普及により電磁波が比例して蔓延し、目に見えないところで、身体に悪影響を与えていると考えられる。
【先行技術文献】
【特許文献】
【０００７】
水晶さざれを利用して電磁波を中和する器具は見当たらない。
【考案の概要】
【考案が解決しようとする課題】
【０００８】
生活空間に充満している電磁波を無害化し、電磁波や静電気などの電気のゴミと言われるものを取り除き、電気製品等の電気負荷を軽減し使用する電気量の低減を図る器具を提供することにある。
【０００９】
本考案は、上記のような身体に悪影響を与える電磁波を中和し、電気量を低減する器具を提供する。
【課題を解決するための手段】
【００１０】
本考案の第１考案では、周囲をステンレス網で囲んだ円筒形の本体と、本体の一方の開口部に底部を設け、本体の底部を支えるステンレス鋼の架台と、本体内の底部に載せる水晶さざれ用ステンレス網のざると、電磁波の集積素地となる上蓋とからなり、ざるの中に入れる水晶さざれとして活用粒径を５〜２０ｍｍの無色透明の天然水晶さざれを用いた電気使用量を低減する器具とした。
【００１１】
また、第２考案として、上蓋が、ステンレス鋼線の円形の枠と、前記枠内のステンレス網とからなり、ステンレス網の中央に銅製の菊花紋を設け、菊花紋を中心に囲むように六芒星形状（正三角形が上下に二つ重なった六つの角を持つ星の形）の鋼板を配置し、六芒星形状の鋼板の周囲に３個又は６個の六芒星形状のセラミックヘッドを取り付けた電気使用量を低減する器具とした。
【考案の効果】
【００１２】
本考案に係る電気量の低減を図る器具を屋外、屋内、それぞれの場所において、場所の広さに応じて、最適な個数の本考案に係る電気量の低減を図る器具を最適な位置に設置することで、建物内も含めて全体の電磁波や静電気などの電気のゴミを取り除く浄化機能を発揮できるようになる。集積素地としての上蓋によって集積された電磁波を、水晶さざれによって電磁波が中和されることで、電気量の低減が図れるものである。
【００１３】
また、電磁波による健康被害を低減でき、電気量の使用量を減らすことで節電を図れ、地球温暖化を防止することへも繋がる器具を提供することができるものである。
【図面の簡単な説明】
【００１４】
【図１】本考案の電気量の低減を図る器具の全体を示す図
【図２】本考案の電気量の低減を図る器具の本体及び架台を示す説明図
【図３】本考案の電気量の低減を図る器具の本体に水晶さざれを入れたざるを挿入した状態を示す説明図
【図４】本考案の電気量の低減を図る器具の上蓋の側面説明図
【図５】本考案の電気量の低減を図る器具の上蓋の集積素地の説明図
【図６】本考案の電気量の低減を図る器具の上蓋の集積素地の説明図
【図７】本考案の電気量の低減を図る器具の上蓋に載せるセラミックヘッドを示す図
【図８】本考案の実施例において、電気量の低減を図る器具を設置する建物を示した図
【図９】本考案の実施例において、電気量の低減を図る器具を設置する個所を示した図
【図１０】本考案の実施例において、電気量の低減を図る器具を設置する建物を示した図
【図１１】本考案の実施例において、電気量の低減を図る器具を設置する個所を示した図
【考案を実施するための最良の形態】
【００１５】
本考案の実施例を示す。
【実施例１】
【００１６】
図１は、本考案に係る電気量の低減を図る器具の全体の構成を示す図である。１は本体、２は本体の底部、３は本体１の周囲を囲むステンレス網である。本体１をステンレス網状としたのは、水晶さざれと大気との接触に妨げにならないようにするためである。
尚、図１において、本体１の周囲を囲むステンレス網３は、一部を省略して示している。
【００１７】
図２は、本考案の電気量の低減を図る器具の本体及び架台を示す説明図である。
本器具のフレームの材料は、本体及び架台を共に例えば直径４ｍｍステンレス鋼線を使用し、組み立てはアルゴン溶接で接続する。本体の構成は、全体に直径２００ｍｍの輪２個を１４０ｍｍ直線４本で輪を上下にして等間隔に接続する。
【００１８】
次に、本体の開口部の一方を底部２として十字型のざる置台を設けて、本体の側面は４ｍｍ目ステンレス網３で円筒型に囲う。４は架台で、直径１６０ｍｍの輪２個に６０ｘ２０ｍｍ、Ｌ字型足８本を等間隔に接続し一体化する。このＬ字型足を設けることにより、床から５０ｍｍ以上の空間を設けて水晶さざれを浮かせた状態に保持して大気との接触に配慮することができる。架台４の形状はＬ字型足に限定するものではなく、本体を安定して設置できる形状であればよく、水晶さざれを空間に位置させることができればよい。
【００１９】
図１のように本体１と架台４を合体して接続すると高さ２００ｍｍに仕上がる。
前記それぞれの大きさは、一例を示したものであり、特に特定したものではない。また、設置場所の広さに応じて、適宜大きさを決めることができる。
【００２０】
図３は、本考案の電気量の低減を図る器具の本体内に水晶さざれを入れたざるを挿入した状態を示す説明図である。
図３において、５は、水晶さざれ６を入れるざるである。このざる５をステンレス網のメッシュざるとすることで、水晶さざれの蘇生的波動作用を保全のための洗浄作業が効率的に行えるようになる。
【００２１】
水晶さざれ６としては、粒径５〜２０ｍｍ、無色透明の天然水晶を使用する。水晶さざれの収納量は、本体筒部の寸法直径２００ｍｍ、高さ１４０ｍｍの場合、２００ｇ〜１，０００ｇとすることで有効な効果が得られる。
【００２２】
本考案器具の上蓋の構成について説明する。
図４は、本考案の電気量の低減を図る器具の上蓋の説明図、図５は、本考案の電気量の低減を図る器具の上蓋の集積素地の説明図、図６は、本考案の電気量の低減を図る器具の上蓋の集積素地の説明図である。
【００２３】
本考案器具の上蓋の枠の材料も本体、架台と同様に直径４ｍｍステンレス鋼線を使用する。例えば、直径２００ｍｍ上蓋面へ１０ｍｍ目ステンレス網を接続する。蓋栓として直径１６０ｍｍの輪２個を直径４ｍｍ、高さ４０ｍｍ、４本で、輪を上下に等間隔に接続したものを１０ｍｍ目ステンレス網下面に接続する。
また、宇宙空間無限大のフリーエネルギー中の同類蘇生化波動エネルギーを集積する集積素地を作成する。集積される蘇生化波動エネルギーは、優位の波動であり、電磁波は劣位の波動である。優位の波動は劣位の波動をコントロールできる。従って、電磁波を無害化する、あるいは、排斥し合い相殺する。ゆえに、蘇生化波動エネルギーの大部分は空気中に存在する建物全体の電磁波浄化作用で霧消化する。このような現象が連綿する。
【００２４】
図５及び図６において、７は上蓋、８はステンレス網であり、上蓋７の枠内に設ける。９は菊花紋、１０は六芒星の形状の鋼板である。１１は、セラミックヘッドである。
図５には、セラミックヘッド１１を３個取り付けた場合を示している。また、図６には、セラミックヘッド１１を６個取り付けた場合を示している。
【００２５】
集積素地として、先ず、sus304肉厚５ｍｍの磨き鋼板をレーザー加工で六芒星１０を製作し、１０ｍｍ目ステンレス網８の上面の中心部に接続する。この六芒星は、ステンレス製として、赤色に塗ることも有効である。次に、この六芒星１０の真ん中へ直径５０ｍｍの菊花紋９を接着する。菊花紋９は銅製とすることも有効である。最後に、セラミックヘッド１１を３個又は６個を前記六芒星の鋼板の周囲にバランスよく結束する。
【００２６】
図７は、本考案の電気量の低減を図る器具の上蓋に載せるセラミックヘッドを示す図である。
このセラミックヘッド１１は、陶板１２を陶磁器のつり焼きにて形成し、表裏の両面を釉薬仕上げし、その両面に複数の六芒星図形を金もしくはプラチナ１３にて転写焼き付けしたセラミックヘッドとした。このセラミックヘッドは、例えば、実用新案登録第3116969号「六芒星（ヒランヤ）セラミックヘッド」を用いることができる。
【００２７】
この六芒星セラミックヘッドについて、製造メーカー（ヘキサ・ライフ社）の波動測定機ＡＬ／ＬＦシリーズによる波動測定がなされている。
波動測定値は、生命場情報ともいわれており、あらゆる物質は微弱なエネルギーを有しており、測定は人体をはじめ、生命に関わるあらゆる物質を対象とし、その対象物自体のエネルギー状況、更には人体と物質等が相互に影響するエネルギー状況等を生命にとって好ましい状態かどうかを相対的な数字で表現するものである。
測定値は基本的には、人体にとって良いか悪いかで、±０を基準に＋２０から−２０までの段階で評価し、＋で大きい数がより良く、−で大きい数がより悪いといえる。
【００２８】
本考案に用いるセラミックヘッドの波動測定値は＋１９で最高値の＋２０にほぼ近いことから、生物にたとえれば、生気が溢れている様子である。この特性が集積素地に必要なため活用する。
前記上蓋のそれぞれの大きさは、一例を示したものであり、特に特定したものではない。本体の大きさに応じて、適宜大きさを決めることができる。
【実施例２】
【００２９】
図８は考案者の自宅土地１２５．４０ｍ２、延べ建築面積１００．６５ｍ２の平面図を示す。図９に本考案を設置した場所を示す。本器具を図中の１〜５の位置に設置した。下記の表１は、本考案に係る電気量の軽減を図る器具を設置した４か月間における電気量の検針データである。
【００３０】
本器具設置前の２０１９年１０月、１１月、１２月、２０２０年１月の電気量検針データと設置後の２０２０年１０月、１１月、１２月、２０２１年１月の電気量検針データとの対比を示す。
【００３１】
テスト内容と低減効果の算定
使用電力：家庭用１００Ｖ
【表１】
0003232191.tif 000003
10月期  2019年 9月20日〜10月20日  2020年 9月23日〜10月20日
11月期  2019年10月21日〜11月20日  2020年10月21日〜11月19日
12月期  2019年11月21日〜12月18日  2020年11月20日〜12月17日
1月期   2019年12月19日〜１月22日  2020年12月18日〜1月22日
【００３２】
電気量低減率の算定
（設置後使用量―設置前使用量）÷設置前使用量ｘ100％
（8.80-10.15）÷10.15ｘ100＝△13.3％
よって、低減率  △13.3％となる。
【００３３】
本考案に係る電気量の軽減を図る器具を設置することにより、電気量を13.3％低減させることができている。
かかる低減率が図れているのは、本器具を設置したことにより、電磁波を中和でき、電化製品等の電気負荷を軽減し、電気量を低減したことによるものである。
【実施例３】
【００３４】
図１０は考案者の会社倉庫の平面図であり、１階床面積９８ｍ２（横幅７ｍｘ奥行１４ｍ）、延べ建築面積（２階を含む）２００ｍ２を示す。図１１に本考案を設置した場所を示す。図中、本器具を１〜５の位置に設置した。下記の表２から表４は、本考案に係る電気量の軽減を図る器具を設置した４か月間における電気量の検針データである。
本器具設置前の２０１９年１０月、１１月、１２月、２０２０年１月の電気量検針データと設置後の２０２０年１０月、１１月、１２月、２０２１年１月の電気量検針データとの対比を示す。
【００３５】
電気使用目的により、３分類されている。
１．深夜電力Ｂ：電気温水器用（単相２００Ｖ，４．４ｋｗ）
２．低圧電力：三相２００Ｖ，動力用
３．従量電灯Ａ：従来家庭用１００Ｖ
表２に深夜電力Ｂ、表３に低圧電力、表４に従量電灯Ａのそれぞれのデータを示す。
【００３６】
【表２】
0003232191.tif 000004
10月期  2019年 9月25日〜10月23日  2020年 9月25日〜10月23日
11月期  2019年10月24日〜11月24日  2020年10月24日〜11月24日
12月期  2019年11月25日〜12月22日  2020年11月25日〜12月22日
1月期   2019年12月23日〜１月24日  2020年12月23日〜1月26日
【００３７】
深夜電力Ｂの場合：
電気量低減率の算定
（設置後使用量―設置前使用量）÷設置前使用量ｘ100％
（6.49-7.72）÷7.72ｘ100＝△15.9％
よって、低減率  △15.9％となる。
本考案に係る電気量の軽減を図る器具を設置することにより、電気量を15.9％低減させることができている。
【００３８】
【表３】
0003232191.tif 000005
10月期  2019年 9月25日〜10月23日  2020年 9月25日〜10月23日
11月期  2019年10月24日〜11月24日  2020年10月24日〜11月24日
12月期  2019年11月25日〜12月22日  2020年11月25日〜12月22日
1月期   2019年12月23日〜１月24日  2020年12月23日〜 1月26日
【００３９】
低圧電力の場合：
電気量低減率の算定
（設置後使用量―設置前使用量）÷設置前使用量ｘ100％
（0.94-1.48）÷1.48ｘ100＝△36.5％
よって、低減率  △36.5％となる。
本考案に係る電気量の軽減を図る器具を設置することにより、電気量を36.5％低減させることができている。
【００４０】
【表４】
0003232191.tif 000006
10月期  2019年 9月25日〜10月23日  2020年 9月25日〜10月23日
11月期  2019年10月24日〜11月24日  2020年10月24日〜11月24日
12月期  2019年11月25日〜12月22日  2020年11月25日〜12月22日
1月期   2019年12月23日〜１月24日  2020年12月23日〜 1月26日
【００４１】
従量電灯Ａの場合：
電気量低減率の算定
（設置後使用量―設置前使用量）÷設置前使用量ｘ100％
（7.54-9.20）÷9.20ｘ100＝△18.0％
よって、低減率  △18.0％となる。
本考案に係る電気量の軽減を図る器具を設置することにより、電気量を18.0％低減させることができている。
【００４２】
上記の３分類、深夜電力Ｂ、低圧電力及び従量電灯Ａを合算して電気量低減率を算定する。
電気量低減率の算定
（設置後使用量―設置前使用量）÷設置前使用量ｘ100％
（14.98-18.41）÷18.41ｘ100＝△18.6％
よって、低減率  △18.6％となる。
【００４３】
かかる低減率が図れているのは、本器具を設置したことにより、電磁波を中和でき、電化製品等の電気負荷を軽減し、電気量を低減したことによるものである。
設置地点は、建物全体を網羅するため、５個製作して建物屋外（屋内も可）の四隅地面（屋内は部屋の隅など）へ４個と、建物屋内１階ほぼ中央の床上又は床下に１個置くようにする。
【００４４】
本考案に係る器具の効果の範囲は、充満している電磁波のパワーや密度により異なるが、おおよそ一辺５０ｍ以下の四辺形の範囲におよび、また、高さについては広範囲に対応できるものである。
【００４５】
また、本考案にかかる電気使用量を低減する器具を広範囲に設置する場合には、５個の本器具を１組として、２組から１００組設置することで対応することができる。
一方、狭い範囲に設置する場合には、本考案に係る電気使用量を低減する器具を、１〜４個置くことで使用することができる。
また、水晶さざれの分量を調整することによって、効果の範囲を調整でき、また、水晶さざれを定期的に洗浄することで、効果を取り戻すことができる。
【産業上の利用可能性】
【００４６】
本考案は、水晶（クリスタル）の蘇生的波動作用を利用して、電磁波を中和し、電化製品等の電気負荷を軽減し、電気使用量を低減することに資するものである。
【符号の説明】
【００４７】
１  本体
２  底部
３  ステンレス網
４  架台
５  ざる
６  水晶さざれ
７  上蓋（枠）
８  ステンレス網
９  菊花紋
１０  六芒星（鋼板）
１１  セラミックヘッド
１２  陶板
１３  金もしくはプラチナ
【図１】
0003232191.tif 000007
【図２】
0003232191.tif 000008
【図３】
0003232191.tif 000009
【図４】
0003232191.tif 000010
【図５】
0003232191.tif 000011
【図６】
0003232191.tif 000012
【図７】
0003232191.tif 000013
【図８】
0003232191.tif 000014
【図９】
0003232191.tif 000015
【図１０】
0003232191.tif 000016
【図１１】
0003232191.tif 000017